(57)【要約】 【課題】  所期のカバー体の効果を損なうことなく、装置の薄形化を図りかつ製作コストを低減することができる光ピックアップ装置を提供する。【解決手段】  対物レンズ２５と、アクチュエータ２４と、これら対物レンズ２５およびアクチュエータ２４を支持するベースフレーム２１とを有し、該ベースフレーム２１には、アクチュエータ２４の少なくとも一部を覆うカバー体２１ｂが一体に形成されて成る。【選択図】      図１
2006012302.tif 000002
【特許請求の範囲】
【請求項１】
記録媒体に対して、情報の記録、再生および消去の少なくともいずれか１つを行うための光ピックアップ装置であって、
光源からの光を前記記録媒体に集光し、該記録媒体からの戻り光を所定の光学部品に導く集光手段と、
前記記録媒体に対して、前記集光手段をフォーカス方向およびトラッキング方向に移動駆動可能なアクチュエータと、
前記集光手段および前記アクチュエータを支持するベースフレームとを有し、
前記ベースフレームには、該ベースフレームに支持される前記アクチュエータの少なくとも一部を覆うカバー体が、一体に形成されて成ることを特徴とする光ピックアップ装置。
【請求項２】
前記ベースフレームには、前記アクチュエータを該ベースフレームに組み込み支持するための孔が開設されていることを特徴とする請求項１に記載の光ピックアップ装置。
【請求項３】
前記カバー体は、前記集光手段を保護する機能を有することを特徴とする請求項１または２に記載の光ピックアップ装置。
【請求項４】
前記カバー体は、前記アクチュエータの移動量を規制するように構成されることを特徴とする請求項１〜３のいずれか１つに記載の光ピックアップ装置。
【発明の詳細な説明】
【技術分野】
【０００１】
本発明は、光ピックアップ装置に関し、たとえばコンパクトディスクおよびデジタルバーサタイルディスクなどの記録媒体に対する情報の記録、再生、消去を行う光ピックアップ装置に関する。
【背景技術】
【０００２】
コンパクトディスク（略称ＣＤ：Compact Disk）およびデジタルバーサタイルディスク（略称ＤＶＤ：Digital Versatile Disk）などの記録媒体に対する情報の記録、再生、消去を行う光ピックアップ装置が実用に供されている（たとえば特許文献１および２参照）。図２は、従来技術に係る第１の光ピックアップ装置の要部を示す断面図である。第１の光ピックアップ装置は、ベースフレーム１、アクチュエータ２、カバー体３、光源および受光源４、対物レンズ５および光学部品６を備えている。ベースフレーム１には、カバー体３が該カバー体３に付設される図示外の爪などによって固定されている。つまりカバー体３とベースフレーム１とは、別部品で構成されている。このカバー体３は、アクチュエータ２の可動範囲を規制するとともに、対物レンズ５を汚れおよび傷から保護するためのものである。
【０００３】
図３は、従来技術に係る第２の光ピックアップ装置の構造を概略示す斜視図である。第２の光ピックアップ装置では、アクチュエータ７を保持するサブフレーム８を、記録媒体９に対向して設けることで、カバー体として兼用する構成になっている。図４は、従来技術に係る第３の光ピックアップ装置の構造を概略示す斜視図である。第３の光ピックアップ装置では、サブフレーム１０にアクチュエータの可動範囲を規制するストッパ１１を設けることで、カバー体を省略可能に構成されている。
【０００４】
【特許文献１】特開平９−９１７２７号公報
【特許文献２】特開２００１−２２９５５６号公報
【発明の開示】
【発明が解決しようとする課題】
【０００５】
第１の光ピックアップ装置においては、カバー体３とベースフレーム１とが別部品で構成されているので、装置全体の部品点数が多くなり、光ピックアップ装置の薄形化の制約になる。装置全体の部品点数が多くなる分、構造が複雑化し、これにより製作コストが高くなる。カバー体３とベースフレーム１とが別部品で構成されているので、ベースフレーム１に対するカバー体３の取付け誤差を見込まければならない。それ故、記録媒体とカバー体３とのクリアランスδを小さくできず、機器の薄形化を図れない。
【０００６】
第２の光ピックアップ装置においては、アクチュエータ７を保持するサブフレーム８を、カバー体として兼用しているので、アクチュエータ７のスキュ調整の際に、カバー体としてのサブフレーム８がアクチュエータ７とともに変位してしまう。前記サブフレーム８の変位量を見込まなければならないので、記録媒体９とサブフレーム８とのクリアランスを小さくできず、機器の薄形化を図れない。
【０００７】
第３の光ピックアップ装置では、カバー体そのものを省略した構造であるので、汚れまたは傷から対物レンズ１２を保護することができない。
【０００８】
本発明の目的は、所期のカバー体の効果を損なうことなく、装置の薄形化を図りかつ製作コストを低減することができる光ピックアップ装置を提供することである。
【課題を解決するための手段】
【０００９】
本発明は、記録媒体に対して、情報の記録、再生および消去の少なくともいずれか１つを行うための光ピックアップ装置であって、
光源からの光を前記記録媒体に集光し、該記録媒体からの戻り光を所定の光学部品に導く集光手段と、
前記記録媒体に対して、前記集光手段をフォーカス方向およびトラッキング方向に移動駆動可能なアクチュエータと、
前記集光手段および前記アクチュエータを支持するベースフレームとを有し、
前記ベースフレームには、該ベースフレームに支持される前記アクチュエータの少なくとも一部を覆うカバー体が、一体に形成されて成ることを特徴とする光ピックアップ装置である。
【００１０】
本発明に従えば、前記集光手段は、前記光源からの光を前記記録媒体に集光する。前記集光手段は、該記録媒体からの戻り光を所定の光学部品に導く。アクチュエータは、前記記録媒体に対して、前記集光手段をフォーカス方向およびトラッキング方向に移動駆動させる。前記ベースフレームには、前記集光手段および前記アクチュエータが支持されている。前記ベースフレームには、カバー体が一体に形成されて成る。このカバー体は、前記アクチュエータの少なくとも一部を覆うように配設されている。このようにカバー体とベースフレームとが一体に形成されて成るので、従来のようにカバー体とベースフレームとが別体構造のものより、装置全体の部品点数を低減することができる。
【００１１】
また本発明は、前記ベースフレームには、前記アクチュエータを該ベースフレームに組み込み支持するための孔が開設されていることを特徴とする。
【００１２】
本発明に従えば、前記ベースフレームに開設される孔から、アクチュエータをベースフレームに組み込み該ベースフレームに支持し得る。逆に、前記アクチュエータを前記ベースフレームの孔から容易に取り外すことも可能である。
【００１３】
また本発明は、前記カバー体は、前記集光手段を保護する機能を有することを特徴とする。
【００１４】
本発明に従えば、記録媒体の着脱時などにおいて、前記記録媒体が前記集光手段に衝突することを前記カバー体によって防止することができる。このように集光手段を保護することが可能となる。
【００１５】
また本発明は、前記カバー体は、前記アクチュエータの移動量を規制するように構成されることを特徴とする。
【００１６】
本発明に従えば、記録媒体に対するアクチュエータの移動量を、前記カバー体によって規制する。
【発明の効果】
【００１７】
本発明によれば、前記ベースフレームには、カバー体が一体に形成されて成る。このカバー体は、前記アクチュエータの少なくとも一部を覆うように配設されている。このようにカバー体とベースフレームとが一体に形成されて成るので、従来のようにカバー体とベースフレームとが別体構造のものより、装置全体の部品点数を低減することができる。これによって光ピックアップ装置の構造を簡単化することができ、製作コストの低減を図ることが可能となる。また前記カバー体によって、ほこりおよび異物がアクチュエータおよび集光手段に付着することを極力防止することが可能となる。しかも本発明に従えば、前記従来の別体構造のように、ベースフレームに対するカバー体の取付け誤差を考慮する必要がない。換言すれば、ベースフレーム本体に対するカバー体の製作誤差は、前記従来の取付け誤差よりも格段に小さくし得る。したがって記録媒体とカバー体とのクリアランスを、従来の別体構造のものより小さくすることができ、機器の薄形化を実現することができる。
【００１８】
また本発明によれば、ベースフレームに開設される孔から、アクチュエータをベースフレームに組み込み該ベースフレームに支持し得る。したがって従来のようにカバー体の爪をベースフレームに固着させる手間を省略することができるので、光ピックアップ装置の組立てを簡単化することができる。逆に、前記アクチュエータを前記ベースフレームの孔から容易に取り外すことも可能である。
【００１９】
また本発明によれば、記録媒体の着脱時などにおいて、前記記録媒体が前記集光手段に衝突することを前記カバー体によって防止することができる。このように集光手段を保護することが可能となる。
【００２０】
また本発明によれば、記録媒体に対するアクチュエータの移動量を、前記カバー体によって規制することができる。逆に言えば、アクチュエータを移動させるべき移動量によって、カバー体を設計することが可能となる。
【発明を実施するための最良の形態】
【００２１】
図１は、本発明の実施形態に係る光ピックアップ装置２０を、集光方向向きの軸線を含む仮想平面で切断して見た断面図である。本実施形態は、たとえばコンパクトディスク（略称ＣＤ：Compact Disk）またはデジタルバーサタイルディスク（略称ＤＶＤ：Digital Versatile Disk）などの記録媒体に対する情報の記録、再生および消去の少なくともいずれか１つを行う光ピックアップ装置の一例を示す。光ピックアップ装置２０は、主に、ベースフレーム２１、光源および受光源２２、光学部品２３、アクチュエータ２４、対物レンズ２５、図示外の集積回路およびフレキシブル基板を有する。これらのうち光源および受光源２２と集積回路とは、フレキシブル基板に実装されている。
【００２２】
ベースフレーム２１には、前記光源および受光源２２（以下、光源２２等と称す）と光学部品２３とアクチュエータ２４とが搭載つまり支持されている。この光ピックアップ装置２０は、所定位置に支持された記録媒体２６の半径方向に沿って移動可能に支持されている。前記半径方向をＹ方向、光ピックアップ装置２０の高さ方向をＺ方向、Ｙ方向およびＺ方向に直交する方向をＸ方向と定義する。ベースフレーム２１のうちＸ方向両端部には、この光ピックアップ装置２０を前記半径方向つまりＹ方向に沿って移動させるためのガイド支持部２７，２８が形成されている。ベースフレーム２１には、アクチュエータ２４を収容し得る凹所２１ａが形成されている。このベースフレーム２１に、ダンパホルダ２９が固着され、このダンパホルダ２９に弾性変位可能に付設される複数本のダンパワイヤ３０を介してアクチュエータ２４が支持されている。
【００２３】
アクチュエータ２４は、サブフレーム３１、フォーカスコイル３２、トラッキングコイル３３、アクチュエータ用磁石片３４およびヨーク３５を備えている。このアクチュエータ２４のサブフレーム３１のうち記録媒体２６に臨む一表面部に、集光手段である対物レンズ２５が一体に固着されている。この対物レンズ２５は、光源２２等からの光を記録媒体２６に集光するように設けられている。ベースフレーム２１のうち前記対物レンズ２５と光源２２等との間の光路途中に、光学部品２３である立上げミラーが配設されている。つまり光源２２等から発せられた光は、順次、立上げミラー２３および対物レンズ２５を経由して記録媒体２６に集光する。該記録媒体２６からの戻り光（反射光ともいう）は、再び対物レンズ２５および立上げミラー２３を経由して受光素子を含む光源２２等に集光するようになっている。アクチュエータ２４のうち、フォーカスコイル３２、トラッキングコイル３３、アクチュエータ用磁石片３４およびヨーク３５によって生じ得る磁力によって、対物レンズ２５を、Ｚ方向（フォーカス方向）およびＹ方向（トラッキング方向）に移動駆動可能になっている。
【００２４】
前記ベースフレーム２１のうち記録媒体２６に臨む一表面部には、アクチュエータ２４の大部分を覆うカバー体２１ｂが一体に形成されて成る。このカバー体２１ｂは、対物レンズ２５が他の機器および記録媒体２６などと干渉するのを防止する、換言すれば対物レンズ２５を保護する機能を有する。しかもカバー体２１ｂは、アクチュエータ２４の移動量であってアクチュエータ２４のフォーカス方向およびトラッキング方向の移動量を、規制するように構成される。ベースフレーム２１には、アクチュエータ２４を該ベースフレーム２１に組む込み支持するための孔２１ｃが開設されている。つまりベースフレーム２１のうち前記立上げミラー２３が付設される底壁部の一部には、凹所２１ａに通ずる孔２１ｃが開設されている。この孔２１ｃからベースフレーム２１の凹所２１ａにアクチュエータ２４を収容し支持することができるうえ、アクチュエータ２４をこの孔２１ｃから取り出すことも可能となる。
【００２５】
以上説明した光ピックアップ装置２０によれば、ベースフレーム２１には、カバー体２１ｂが一体に形成されて成る。このカバー体２１ｂは、アクチュエータ２４の少なくとも一部を覆うように配設されている。このようにカバー体２１ｂとベースフレーム２１とが一体に形成されて成るので、従来のようにカバー体とベースフレームとが別体構造のものより、装置全体の部品点数を低減することができる。これによって光ピックアップ装置２０の構造を簡単化することができ、製作コストの低減を図ることが可能となる。またカバー体２１ｂによって、ほこりおよび異物がアクチュエータ２４および対物レンズ２５に付着することを極力防止することが可能となる。
【００２６】
しかも本実施形態に係る光ピックアップ装置２０によれば、従来の別体構造のように、ベースフレーム２１に対するカバー体２１ｂの取付け誤差を考慮する必要がない。換言すれば、ベースフレーム本体に対するカバー体２１ｂの製作誤差は、前記従来の取付け誤差よりも格段に小さくし得る。したがって記録媒体２６とカバー体２１ｂとのクリアランスδを、従来の別体構造のものより小さくすることができ、機器の薄形化を実現することができる。
【００２７】
ベースフレーム２１には、アクチュエータ２４を該ベースフレーム２１に組み込み支持するための孔２１ｃが開設されているので、光ピックアップ装置２０の組立てを簡単化することができる。つまりベースフレーム２１に開設される孔２１ｃから、アクチュエータ２４をベースフレーム２１に組み込み該ベースフレーム２１に支持し得る。したがって従来のようにカバー体の爪をベースフレームに固着させる手間を省略することができるので、光ピックアップ装置２０の組立てを簡単化することができる。逆に、アクチュエータ２４をベースフレーム２１の孔２１ｃから容易に取り外すことも可能である。
【００２８】
またカバー体２１ｂは、対物レンズ２５を保護する機能を有するので、記録媒体２６の着脱時などにおいて、前記記録媒体２６が対物レンズ２５に衝突することをこのカバー体２１ｂによって防止することができる。このように対物レンズ２５を保護することが可能となる。また本実施形態に係る光ピックアップ装置２０によれば、記録媒体２６に対するアクチュエータ２４の移動量を、カバー体２１ｂによって規制することができる。逆に言えば、アクチュエータ２４を移動させるべき移動量によって、カバー体２１ｂを設計することが可能となる。
【００２９】
本実施形態においては、ベースフレームに、光源と光学部品とアクチュエータとが搭載されているが、このような構成に必ずしも限定されるものではない。たとえばベースフレームに光源が搭載されない構造にしてもよい。この構造によれば、ピックアップ装置の薄形化を一層図ることが可能となる。ＣＤ用の光源およびＤＶＤ用の光源をベースフレームに搭載することも可能である。光源は、発光素子と受光素子とが一体化されたものを適用してもよいし、発光素子と受光素子とが別体化されたものを適用してもよい。カバー体の一表面部とガイド支持部の一表面部とは、必ずしも面一状に形成されるとは限らない。光学部品は、立上げミラーだけに限定されるものではない。
【図面の簡単な説明】
【００３０】
【図１】本発明の実施形態に係る光ピックアップ装置２０を、集光方向向きの軸線を含む仮想平面で切断して見た断面図である。
【図２】従来技術に係る第１の光ピックアップ装置の要部を示す断面図である。
【図３】従来技術に係る第２の光ピックアップ装置の構造を概略示す斜視図である。
【図４】従来技術に係る第３の光ピックアップ装置の構造を概略示す斜視図である。
【符号の説明】
【００３１】
２０  光ピックアップ装置
２１  ベースフレーム
２１ｂ  カバー体
２３  光学部品
２４  アクチュエータ
２５  対物レンズ
２６  記録媒体
【図１】
2006012302.tif 000003
【図２】
2006012302.tif 000004
【図３】
2006012302.tif 000005
【図４】
2006012302.tif 000006